(57)【特許請求の範囲】
【請求項１】
それぞれが個別に回転可能かつ施錠・解錠可能な第１シリンダと第２シリンダとが基板に該基板の外面から内面へ向かう方向へ互いに平行して配置され、前記第１、２シリンダそれぞれを解錠することによって前記基板が取り付けられている扉の施錠を解くことができるダブルロック錠において、
前記第１、２シリンダは、それぞれの回転が前記基板の外面側に位置する外端部へ挿入されるキーによって施錠・解錠されるように形成され、前記基板の内面側に位置する前記第１、２シリンダそれぞれの内端部は、それぞれのシリンダの中心から径方向へ延びてシリンダの回転に伴って旋回する第１アームと第２アームとを有するとともに、前記第２シリンダの内端部は前記扉を固定枠に対して施錠するための手段を取り付け可能に形成され、
前記第１アームの先端は、前記第１シリンダの中心から半径ｒの凸状の弧を画き、前記第２アームの先端は、前記第１シリンダの中心から前記半径ｒよりもやや大きい半径の凹状の弧を画き、前記第１アームと第２アームとは、一直線をなすように互いに向き合ったときに、前記第１アームが前記第２アームの旋回を阻むことができるように前記凸状の弧が僅かの間隙を残して前記凹状の弧の内側に納まっており、前記第１、２シリンダそれぞれは、第１、２キーそれぞれによって施錠・解錠されるものであり、前記第２シリンダに挿入される前記第２キーは、前記第１シリンダに挿入されている前記第１キーをその上方において覆うことができる大きさに形成されていることを特徴とする前記ダブルロック錠。
【請求項２】
前記第１、２シリンダは、前記内端部に取り外し可能な回転角度規制カムを有し、前記カムを裏返して取り付けると前記第１、２シリンダの回転が逆方向となるように形成されている請求項１記載のダブルロック錠。
【発明の詳細な説明】
【０００１】
【発明の属する技術分野】
この発明は、扉用ダブルロック錠に関する。
【０００２】
【従来の技術】
従来、２種類のキーを使用して扉を施錠したり、解錠したりする扉用のダブルロック錠は周知である。また、錠を左開きの扉で使用するか、右開きの扉で使用するかによって錠の構成部材を使い分ける場合があることもよく知られている。
【０００３】
【発明が解決しようとする課題】
扉の開く方向によって錠の構成部材を交換するようにすると、比較的部材点数の多いダブルロック錠の部材がますます多くなり、部品の品質管理や在庫管理が煩雑になる。
【０００４】
この発明では、左開きと右開きの扉に共用できるダブルロック錠を提案して、そのような煩雑さを解消する。
【０００５】
【課題を解決するための手段】
前記課題解決のために、この発明が対象とするのは、それぞれが個別に回転可能かつ施錠・解錠可能な第１シリンダと第２シリンダとが基板に該基板の外面から内面へ向かう方向へ互いに平行して配置され、前記第１、２シリンダそれぞれを解錠することによって前記基板が取り付けられている扉の施錠を解くことができるダブルロック錠である。
【０００６】
かかるダブルロック錠において、この発明が特徴とするところは、次のとおりである。前記第１、２シリンダは、それぞれの回転が前記基板の外面側に位置する外端部へ挿入されるキーによって施錠・解錠されるように形成され、前記基板の内面側に位置する前記第１、２シリンダそれぞれの内端部は、それぞれのシリンダの中心から径方向へ延びてシリンダの回転に伴って旋回する第１アームと第２アームとを有するとともに、前記第２シリンダの内端部は前記扉を固定枠に対して施錠するための手段を取り付け可能に形成されている。前記第１アームの先端は、前記第１シリンダの中心から半径ｒの凸状の弧を画き、前記第２アームの先端は、前記第１シリンダの中心から前記半径ｒよりもやや大きい半径の凹状の弧を画き、前記第１アームと第２アームとは、一直線をなすように互いに向き合ったときに、前記第１アームが前記第２アームの旋回を阻むことができるように前記凹状の弧が僅かの間隙を残して前記凸状の弧の内側に納まっている。前記第１、２シリンダそれぞれは、第１、２キーそれぞれによって施錠・解錠されるものであり、前記第２シリンダに挿入される前記第２キーは、前記第１シリンダに挿入されている前記第１キーをその上方において覆うことができる大きさに形成されている。
【０００７】
【発明の実施の形態】
添付の図面を参照し、この発明に係るダブルロック錠の詳細を説明すると、以下のとおりである。
【０００８】
図１は、扉２に取り付けられたダブルロック錠１の斜視図であって、扉２が固定枠３に対して開いた状態にある。また、錠１は、説明を容易にするために、固定枠３に対して係合・離脱する施錠手段としての爪金具１０がその係合する位置にある状態で示されている。錠１は、扉２の外面側に第１キー穴４と第２キー穴５とを有し、それぞれの穴４，５に挿入した第１キー６と第２キー７とを回転させることによって、爪金具１０を固定枠３に対して係合する位置と離脱する位置との間で往復させることができる。
【０００９】
図２、３は、錠１の平面図と図２のＩＩＩ−ＩＩＩ線断面図であり、爪金具１０が仮想線で示されている。錠１は、基板１１の四隅に形成された透孔１２に基板１１の内面側から挿通されるビス（図示せず）によって扉２の内面に取り付けられる。基板１１の上方に位置する第１キー穴４に第１キー６を挿入することによって、基板１１の外面１３から内面１４へ向かって延びる第１施錠部１６の第１シリンダ１７を解錠状態にして図の位置Ａから位置Ｂにまで時計方向へ約６０°回転させることができる。かかる第１施錠部１６には、例えば周知構造のシリンダ錠を使用することができる。第１シリンダ１７は、基板１１に対して時計方向にも、反時計方向にも３６０°回転できるものであるが、その回転を図２において時計方向へ６０°に規制するための第１カム１９が、第１シリンダ１７の内端部に空回りすることがないようにビス２１ａとワッシャ２１ｂとを介して取り付けられている。
【００１０】
基板１１の下方に位置する第２キー穴５に第２キー７を挿入することによって、第１施錠部１６に平行して基板１１の外面１３から内面１４方向へ延びる第２施錠部２２の第２シリンダ２３を解錠状態にするとともに、図の位置Ｃから位置Ｄにまで時計方向へ約６０°回転させることができる。第２キー７は、握持部２６と、挿入部２７と、これら両部２６，２７間に延びる軸部２８とを有し、握持部２６と挿入部２７との側面形状は略Ｔ字形を呈している。挿入部２７に対応して、第２キー穴５は縦長に形成されている。第２施錠部２２は、図３において、第２シリンダ２３の左方に左右方向へ伸縮するコイルばね３１と、可動部材３２とを有し、第２キー７は、挿入部２７で可動部材３２を押圧し、ばね３１を収縮させて第２キー穴５へ進入する。ばね３１を収縮させたまま第２キー７を位置Ｃから位置Ｄへ向かって時計方向へ回転させると、挿入部２７の径方向へ長く延びた両突起部２７ａが基板１１に対して内側から摺接し、可動部材３２とこれと係合した第２シリンダ２３とが時計方向へ回転し、第２キー７は、第２キー穴５から抜けなくなる。第２シリンダ２３は、基板１１に対して時計方向にも、反時計方向にも３６０°回転できるものであるが、その回転を図２において時計方向へ６０°に規制するために、第２シリンダ２３の内端部には、第２カム３４が第２アーム３３と爪金具１０とともにビス３６ａとワッシャ３６ｂとを介して第２シリンダ２３に空回りすることがないように取り付けられている。
【００１１】
このように第１キー６を操作した後に第２キー７を操作しなければならない錠１では、図２においてＴ字状を呈する第２キーの握持部２６が第１キー６の上方に位置して、第１キー６を覆うように長く延びているから、第１キー６の挿入と回転操作とが、第２キー７のそれよりも先であれば簡単であるが、それよりも後であると握持部２６に邪魔されて困難になる。つまり、第１、２キー６，７の形状は、作業者が扉２を解錠するときにおのずと第１キー６から先に操作するように作られている。扉２が解錠状態にあるときの第２キー７は、第２キー穴５から抜けることがないので、扉２を開閉するときの把手として使うことができる。
【００１２】
図４は、錠１の背面図である。第１アーム１８と第１カム１９とは、第１アーム１８を下にして重なり合い、ビス２１ａによって第１シリンダ１７に固定されている。第１カム１９は円盤状のもので、周縁の一部分４１が切り欠かれている。その切り欠き部分４１では、基板１１の一部が図３の右方ヘ向かって延びる突起４２を形成している。第１シリンダ１７とともに回転する第１カム１９は、切り欠き部分４１の両側端４３，４４が突起４２に衝接することによって停止する。第１カム１９のかような回転によって、第１シリンダ１７の回転角度が６０°に規制されている。第１アーム１８は、第１シリンダ１７の中心から第２シリンダ２３の中心へ向かって延び、延びた先端４６は、第１シリンダ１７の中心から半径ｒの凸形の弧を画いている。かかる第１アーム１８は、第１、２シリンダ１７，２３の中心を結ぶ線Ｃ−Ｃに関して対称に作られている。第１シリンダ−１７の回転角度を大きくしたり小さくしたりするには、切り欠き部分４１の一側端４４の位置を変えればよい。
【００１３】
第２アーム３３と、第２カム３４と、爪金具１０とは、このような順序で第２アーム３３が一番下となるように重なり合い、ビス３６ａによって第２シリンダ２３に固定されている。第２カム３４は、切り欠き部４５を有し、第２シリンダ２３とともに回転すると、切り欠き部４５の両側端４７，４８が基板１１において図３の右方へ延びる突起４９に衝接することで停止する。かかる第２カム３４の動きによって、第２シリンダ２３の回転角度が６０°に規制される。第２アーム３３は、第２シリンダ２３の中心から第１シリンダ１７の中心へ向かって延び、延びた先端５１は、第１シリンダ１７の中心から半径ｒ＋ｐの凹形の弧を画き、第１アーム１８の先端４６から距離ｐだけ離間している。ｐはｒに比べるとごく小さい値で、例えばｒが３０ｍｍ程度であるときに、ｐは０．１〜２ｍｍ程度であれば足りる。第２アーム３３は、線Ｃ−Ｃに関して対称に作られている。第２シリンダ２３の回転角度を大きくしたり小さくしたりするには、切り欠き部４５の一側端４８の位置を変えればよい。
【００１４】
このように形成された錠１が図１の状態、即ち背面から見たときに図４の状態にあるときには、第２キー７を第２キー穴５へ挿入して回転させようとすると、第２アーム３３の凹形の弧を画いている先端５１が凸形の弧を画いている第１アーム１８の先端４６に衝接する。一方、第１アーム１８が取り付けられている第１シリンダ１７は施錠された状態にあり、第２キー７はそれ以上回転させることができない。それゆえ、第２キー７だけを操作して爪金具１０を旋回させることできず、爪金具１０は図１、４の施錠位置にとどまっている。
【００１５】
図５は、爪金具１０が図４の状態から旋回して固定枠３（図１参照）から離脱した状態にあるときの錠１の背面図である。爪金具１０が図４の状態にあるときの錠１において、第１キー６を第１キー穴４に挿入すると、第１シリンダ１７が解錠されて、第１キー６によって第１シリンダ１７を回転させ、第１アーム１８を図の位置にまで旋回させることができる。第１アーム１８が旋回した後には、第２アーム３３の旋回を妨げるものがなく、第２キー７によって第２シリンダ２３と、それに固定された第２アーム３３と、爪金具１０とを図の位置にまで移動させて爪金具１０を固定枠３から離脱させ、扉２を解錠状態にすることができる。第１施錠部１６と第２施錠部２２とは、扉２が解錠状態にあるときの第１、２キー６，７が、それぞれのキー穴４，５に挿入されたままで、そこから抜けることがないように作られている。
【００１６】
扉２を施錠するときには、扉２を閉めてから第２キー穴５に挿入されたままの第２キー７を反時計方向へ回転させ、爪金具１０を横向きにして固定枠３に係合させる。このときに、爪金具１０と第２アーム３３とは、図４の状態に戻り、第２キー７を第２キー穴５から抜くことができる。次に、第１キー穴４に挿入されたままの第１キー６を反時計方向へ回転させると、第１アーム１８はその先端４６の弧が第２アーム３３の先端５１の弧と並行になる図４の状態にまで戻り、第１キー６を第１キー穴４から抜くことができる。
【００１７】
このような手順によらず、扉２を閉めた後に第２キー７よりも先に第１キー６を回転させようとすると、６０°旋回している第２アーム３３に対して第１アーム１８の先端４６が矢印Ｆで示されるように側方から衝接するのでその回転が止められ、爪金具１０を施錠状態にすることができない。もっとも、第２カム３４を別のものに代えることによって第２アーム３３が６０°ではなくて、例えば９０°旋回した状態にあるときには、第２キー７よりも先に第１キー６を操作して第１アーム１８を図４の状態にすることは可能である。しかし、その場合には、第２キー７を回転させようとすると、第２アーム３３はその先端５１が第１アーム１８の先端４６に側方から衝接して図４の状態に戻ることができない。したがって、爪金具１０を施錠状態にすることができない。いずれにせよ、扉２が解錠状態にあるときに第２キー７よりも先に第１キー６を操作すると、第２キー７は、挿入位置にまで戻ることがないので、第２キー穴５から抜き取ることができない。つまり、この錠１では、扉２を閉めても、爪金具１０が施錠位置になければ第２キー７を第２キー穴５から抜き取ることができないということによって、扉２が未だ施錠状態にないことを知り、いわゆる鍵のかけ忘れを防ぐことができる。もっとも、この錠１では、扉２が解錠状態にあるときには、第２キーの握持部２６が第１キー６の上方に位置して第１キー６の操作の邪魔になるから、作業者は第２キー７を先に操作するように仕向けられる。
【００１８】
かかる錠１において、第１カム１９と第２カム３４とを裏返しにすると、扉２を解錠するときの第１キー６と第２キー７とは、図２の例とは逆の反時計方向へ回転させるものになり、第１、２アーム１８，３３もまた、反時計方向へ旋回するようになるから、そのような錠１は、図１の右開きの扉２とは異なる左開きの扉２に使用するのに好適なものになる。この場合でも、第１、２アーム１８，３３は、その先端４６，５１が中心を同じくする円弧を画いているので、第１、２カム１９，３４が裏返しであるか否かにかかわらず、図４のままの状態で、つまり裏返したり、別のものに交換したりすることなく使用することができる。
【００１９】
【発明の効果】
この発明に係る扉用のダブルロック錠では、基板に互いに平行に配置されている第１シリンダと第２シリンダとからそれらの径方向へ延びて一直線をなすように互いに向かい合う第１アームと第２アームとの先端が、一方は凸形の弧を画き、他方は凹形の弧を画き、これら両者の弧は中心が同じであって半径が僅かに異なるのみであるから、第１シリンダが施錠状態にあって第１アームの位置が固定されているときには、第２シリンダを解錠して第２アームを左右どちらかに旋回しようとしても第１アームに衝接して旋回することがなく、第２シリンダに取り付けられた爪金具を解錠状態にすることができない。かかるダブルロック錠では、扉が右開きのものであるか左開きのものであるかによって回転角度規制カムを裏返す必要はあっても、第１、２アームは、それを交換したり、取り付け方を変更したりする必要がない。
【図面の簡単な説明】
【図１】使用状態にあるダブルロック錠の斜視図。
【図２】ダブルロック錠の正面図。
【図３】図１のＩＩＩ−ＩＩＩ線断面図。
【図４】図２の背面図。
【図５】爪金具が旋回した状態にある図４と同様の図面。
【符号の説明】
１      ダブルロック錠
２      扉
４      第１キー穴
５      第２キー穴
６      第１キー
７      第２キー
１０      施錠手段（爪金具）
１１      基板
１３      内面
１４      外面
１７      第１シリンダ
１８      第１アーム
１９      カム
２３      第２シリンダ
３３      第２アーム
４３      カム
４６      先端
５１      先端
ｐ        間隙
【図１】
0003595491.tif 000002
【図２】
0003595491.tif 000003
【図３】
0003595491.tif 000004
【図４】
0003595491.tif 000005
【図５】
0003595491.tif 000006